【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
音響エネルギーを放射し、外周部及び中央部を具備し、前記外周部は前記中央部より厚いダイヤフラムと、
表皮要素を含み、前記表皮要素は前記ダイヤフラムを包み、前記表皮要素は前記受動型ラジエータを音響エンクロージャーに物理的に連結し且つ前記ダイヤフラム及び前記エンクロージャーを空圧的に密封し、前記縁部は幅を有し、前記幅は非均一である受動型ラジエータサスペンションと、
前記ダイヤフラムの運動を制御し、かつ前記ダイヤフラムの重量を支持するように縁部がない前記サスペンションと前記縁部が協働する非空圧的に密封し、縁部がなく、放射状部分がないサスペンション要素と、を備える音響受動型ラジエータ。
【請求項２】
前記ダイヤフラムは均質材料から構成され且つ均一厚さを有する等価質量のダイヤフラムより大きな慣性モーメントを有するように構成され且つ配置される音響受動型ラジエータ用ダイヤフラム。
【請求項３】
前記ダイヤフラムは非均一厚さを有する、請求項２に記載の音響受動型ラジエータ用ダイヤフラム。
【請求項４】
前記ダイヤフラムは外周部と中央部を具備し、前記外周部の厚さは前記中央部の厚さより大きい、請求項３に記載の音響受動型ラジエータ用ダイヤフラム。
【請求項５】
前記厚さは前記中央部から前記外周部まで直線的に増加する、請求項４に記載の音響受動型ラジエータ用ダイヤフラム。
【請求項６】
前記厚さは前記中央部から前記周辺部まで指数関数的に増加する、請求項４に記載の音響受動型ラジエータ用ダイヤフラム。
【請求項７】
前記厚さは前記中央部から前記周辺部まで非均一に増加する、請求項４に記載の音響受動型ラジエータ用ダイヤフラム。
【請求項８】
前記ダイヤフラムは実質的にカップ形状をしている、請求項７に記載の音響受動型ラジエータ用ダイヤフラム。
【請求項９】
前記ダイヤフラムは連続表面を具備する第１部分と、前記ダイヤフラムが閉じた表面を備えるように前記第１部分と係合する密封部分と、を備える、請求項３に記載の音響受動型ラジエータ用ダイヤフラム。
【請求項１０】
前記密封部分は前記縁部を備える、請求項９に記載の音響受動型ラジエータ用ダイヤフラム。
【請求項１１】
前記第１部分はリング形状をしている、請求項９に記載の音響受動型ラジエータ用ダイヤフラム。
【請求項１２】
前記密封部分は前記縁部を備える、請求項１１に記載の音響受動型ラジエータ用ダイヤフラム。
【請求項１３】
前記第１部分は競技トラック形状をしている、請求項９に記載の音響受動型ラジエータ用ダイヤフラム。
【請求項１４】
前記ダイヤフラムは、縁部に取り付けられるように構成され且つ配置された領域を有し、前記領域は前記中央部と前記外周部の中間にある、請求項２に記載の音響受動型ラジエータ用ダイヤフラム。
【請求項１５】
前記ダイヤフラムは外周部を具備し、前記ダイヤフラムは前記外周部が前記開口を越えて延在するように、音響エンクロージャーの開口に取り付けられるように構成され且つ配置される、請求項２に記載の音響受動型ラジエータ用ダイヤフラム。
【請求項１６】
前記ダイヤフラムは第１材料から構成された内側第１部分と、第２材料から構成された外部第２部分と、を具備し、前記第２材料は前記第１材料より高密度である、請求項２に記載の音響受動型ラジエータ用ダイヤフラム。
【請求項１７】
音響エネルギーを放射するダイヤフラムと、
前記ダイヤフラムと音響エンクロージャーを空圧的に密封する縁部と、
前記ダイヤフラムと前記音響エンクロージャーを物理的に結合させ、前記縁部と協働して前記ダイヤフラムの動作を制御し、かつ前記ダイヤフラムの重量を支持する複数の分離した、縁部のないサスペンション要素と、を備える音響受動型ラジエータ。
【請求項１８】
前記分離サスペンション要素の各々は金属バンドを備え、前記金属バンドの各々は前記ダイヤフラムに取り付けられるように構成され且つ配置される一端と、前記エンクロージャーに取り付けられるように構成され且つ配置される他端と、を具備する、請求項１７に記載の音響受動型ラジエータ。
【請求項１９】
複数の前記分離サスペンション要素及び前記縁部は共通点で前記ダイヤフラムに取り付けられるように構成され且つ配置される、請求項１７に記載の音響受動型ラジエータ。
【請求項２０】
複数の前記分離サスペンション要素は、分離点で前記ダイヤフラムに機械的に取り付けられ、前記縁部は連続表面に沿って前記ダイヤフラムに取り付けられ、前記連続面は前記分離点を含む、請求項１７に記載の音響受動型ラジエータ。
【請求項２１】
前記ダイヤフラムは金属から構成される、請求項１７に記載の音響受動型ラジエータ。
【請求項２２】
前記縁部は非均一幅を有する、請求項１７に記載の音響受動型ラジエータ。
【請求項２３】
音響エネルギーを放射するダイヤフラムと、
前記ダイヤフラム及び音響エンクロージャーを空圧的に密封し、前記縁部は固形ポリウレタンと、から構成される音響受動型ラジエータ。
【請求項２４】
複数の分離した、縁部のないサスペンション要素を更に備え、縁部のない前記サスペンション要素と前記縁部が協働して前記ダイヤフラムの動作を制御し、かつ前記ダイヤフラムの重量を支持する、請求項２３に記載の音響受動型ラジエータ。
【請求項２５】
前記分離サスペンション要素は金属バンドを備え、前記金属バンドの各々は前記ダイヤフラムに取り付けられるように構成され且つ配置される一端と、前記エンクロージャーに取り付けられるように構成され且つ配置される他端と、を具備する、請求項２４に記載の音響受動型ラジエータ。
【請求項２６】
複数の前記分離サスペンション要素及び前記縁部は共通点で前記ダイヤフラムに取り付けられるように構成され且つ配置される、請求項２４に記載の音響受動型ラジエータ。
【請求項２７】
複数の前記分離サスペンション要素は、分離点で前記ダイヤフラムに機械的に取り付けられ、前記縁部は連続表面に沿って前記ダイヤフラムに取り付けられ、前記連続面は前記分離点を含む、請求項２４に記載の音響受動型ラジエータ。
【請求項２８】
前記ダイヤフラムは非均一幅を有する、請求項２４に記載の音響受動型ラジエータ。
【請求項２９】
音響エネルギーを放射するダイヤフラムと、
前記ダイヤフラム及び音響エンクロージャーを空圧的に密封し、非均一幅を有する縁部と、を備える音響受動型ラジエータ。
【請求項３０】
複数の分離した、縁部のないサスペンション要素を更に備え、縁部のない前記サスペンション要素と前記縁部が協働して前記ダイヤフラムの動作を制御し、かつ前記ダイヤフラムの重量を支持する、請求項２９に記載の音響受動型ラジエータ。
【請求項３１】
前記分離サスペンション要素は金属バンドを備え、前記金属バンドの各々は前記ダイヤフラムに取り付けられるように構成され且つ配置される一端と、前記エンクロージャーに取り付けられるように構成され且つ配置される他端と、具備する、請求項３０に記載の音響受動型ラジエータ。
【請求項３２】
複数の前記分離サスペンション要素及び前記縁部は共通点で前記ダイヤフラムに取り付けられるように構成され且つ配置される、請求項３０に記載の音響受動型ラジエータ。
【請求項３３】
複数の前記分離サスペンション要素は、分離点で前記ダイヤフラムに機械的に取り付けられ、前記縁部は連続表面に沿って前記ダイヤフラムに取り付けられ、前記連続表面は前記分離点を含む、請求項３０に記載の音響受動型ラジエータ。
【請求項３４】
質量要素と、
接着剤無しで前記質量要素に取り付けられるように前記質量要素の一部を包囲し、前記質量要素を機械的に支持し、かつ前記音響受動型ラジエータを音響エンクロージャーに取り付けるための表面を与える縁部を備える表皮要素と、を備える音響受動型ラジエータ。
【請求項３５】
前記音響受動型ラジエータはインサートモールド成形によって構成される、請求項３４に記載の音響受動型ラジエータ。
【請求項３６】
前記質量要素は第１部分と第２部分を備え、前記第１部分と前記第２部分は異なる材料を含有する、請求項３４に記載の音響受動型ラジエータ。
【請求項３７】
前記質量要素は均質材料から構成され、かつ均一厚さを有する等価質量の質量要素より大きな慣性モーメントを有するように構成され且つ配置される、請求項３４に記載の音響受動型ラジエータ。
【請求項３８】
前記質量要素は非均一厚さを有する、請求項３４に記載の音響受動型ラジエータ。
【請求項３９】
前記質量要素は非均一厚さを有し、前記周辺部の厚さは前記中央部の厚さより大きい、請求項３４に記載の音響受動型ラジエータ。
【請求項４０】
前記表皮要素は前記質量要素を完全に包囲する、請求項３４に記載の音響受動型ラジエータ。
【請求項４１】
前記質量要素は、粒状材料、粉材料、あるいは液体材料の少なくとも１つを備える、請求項４０に記載の音響受動型ラジエータ。
【請求項４２】
空洞が受動型音響ラジエータサスペンション形状を画定する、型の前記空洞内に質量要素を配置する段階と、
流動可能な材料を前記空洞を充填するように、流動可能な前記材料を前記空洞内に挿入する段階と、
前記材料を堅固な弾性状態まで固定せしめる段階と、を備える受動型音響ラジエータを構成する方法。
【請求項４３】
前記挿入する段階は、流動可能な前記材料が前記質量要素を包囲するように、流動可能な前記材料を挿入することを備える、請求項４２に記載の受動型音響ラジエータを構成する方法。
【請求項４４】
音響受動型ラジエータのダイヤフラムであって、前記音響受動型ラジエータの作動周波数より上又は下の周波数で生じるロッキングモード振動に帰着する質量分布を有する前記音響受動型ラジエータのダイヤフラム。
【請求項４５】
慣性モーメントが、均質な材料から構成され、かつ均一な質量分布を有する等価質量から成るダイヤフラム未満であるように、前記質量分布が配置されている、請求項４４に記載のダイヤフラム。
【請求項４６】
均質な材料から構成され、かつ均一な質量分布を有する等価総質量のダイヤフラムに存在するよりもより多くの質量が前記音響受動型ラジエータの回転軸線の近くに存在するように、前記質量分布が配置されている、請求項４４に記載のダイヤフラム。
【請求項４７】
方法であって、
ロッキングモード振動が前記音響受動型ラジエータの作動周波数より上又は下の周波数で生じるように、前記音響受動型ラジエータのダイヤフラムの質量を分布させる段階を備える方法。